【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】
公称波長を有する光キャリアを受け取るために接続された入力を有する、光路と、
前記光路に沿って形成された調整可能回折格子であって、前記公称波長を有する実質的に全ての前記光キャリアを選択的に反射させるための調整可能な、調整可能回折格子と、
前記光路の反射率特性をリアルタイムに監視するための手段であって、前記監視するための手段は、変調された広帯域光信号を前記光路内へと前記光キャリアと組み合わせて挿入するために前記光路に光学的に接続された、変調された広帯域光信号発生器を含み、及び、前記光キャリアと前記調整可能回折格子の反射率とを監視するために前記光路に光学的に接続された光スペクトルアナライザを更に含み、前記光路の前記反射率が、前記変調された広帯域光信号の、リアルタイムな反射波長を表していることからなる、監視するための手段と、
前記監視するための手段に応答して、前記公称波長と比較して、前記光キャリアの波長における変動を補償するために前記調整可能回折格子を動的に調整するための手段
とを備える、波長追跡及び調整システム。
【請求項２】
前記光スペクトルアナライザは、波長の関数として前記調整可能回折格子の反射率のリアルタイムな大きさと比較して、前記光キャリアの波長のリアルタイムな長さを表す信号を出力するための出力部を有する、請求項１に記載の波長追跡及び調整システム。
【請求項３】
公称波長を有する光キャリアを受け取るために接続された入力を有する、光路と、
前記光路に沿って形成された調整可能回折格子であって、前記公称波長を有する前記光キャリアを選択的に反射させるための調整可能な、調整可能回折格子と、
前記光路の反射率特性をリアルタイムに監視するための手段であって、前記監視するための手段は、前記光キャリアの前記公称波長を含む波長の範囲を画定するために、波長反射率に関する連続的な調整に応答する、変調追跡回折格子を含み、前記反射率特性は、前記変調追跡回折格子によって反射された、変調された追跡信号を表していることからなる、監視するための手段と、
前記監視するための手段に応答して、前記公称波長と比較して、前記光キャリアの波長における変動を補償するために前記調整可能回折格子を動的に調整するための手段
とを備える、波長追跡及び調整システム。
【請求項４】
前記監視するための手段は、前記変調された追跡信号を前記変調追跡回折格子から受け取るために接続されたレシーバを含む、請求項３に記載の波長追跡及び調整システム。
【請求項５】
第１、第２、及び第３のポートを有する、第１の方向性光伝達装置と、
前記第１の方向性光伝達装置の前記第１のポートに接続された、第１の導波路と、
前記第１の方向性光伝達装置の前記第２のポートに接続された、第２の導波路と、
光エネルギーを反射させるために、前記第２の導波路に沿って配置された、第１の調整可能回折格子と、
所望の光キャリアを追跡するために、前記第１の方向性光伝達装置と光学的に伝達し合う手段と、
前記所望の光キャリアを前記第１の方向性光伝達装置に戻すように反射させるために前記第１の調整可能回折格子を調整するための手段であって、前記所望の光キャリアを追跡するための手段に応答する、調整するための手段と、
前記所望の光キャリアを伝搬させるために前記第１の方向性光伝達装置の前記第３のポートに接続された、第３の導波路であって、前記第１の方向性光伝達装置の前記第１、前記第２、及び前記第３ポートは、前記第３の導波路が、前記所望の光キャリアのソースと、前記戻すように反射された所望の光キャリアのレシーバとのうちの１つであるように構成されていることからなる、第３の導波路
とを備え、
前記追跡するための手段は、変調された光信号を反射させるために調整される第１の追跡回折格子を含み、前記第１の追跡回折格子は、前記第１、前記第２、及び前記第３の導波路のうちの少なくとも１つに光学的に接続されていることからなる、動的に調整可能な光学システム。
【請求項６】
第１、第２、及び第３のポートを有する、第１の方向性光伝達装置と、
前記第１の方向性光伝達装置の前記第１のポートに接続された、第１の導波路と、
前記第１の方向性光伝達装置の前記第２のポートに接続された、第２の導波路と、
光エネルギーを反射させるために、前記第２の導波路に沿って配置された、第１の調整可能回折格子と、
所望の光キャリアを追跡するために、前記第１の方向性光伝達装置と光学的に伝達し合う手段と、
前記所望の光キャリアを前記第１の方向性光伝達装置に戻すように反射させるために前記第１の調整可能回折格子を調整するための手段であって、前記所望の光キャリアを追跡するための手段に応答する、調整するための手段と、
前記所望の光キャリアを伝搬させるために前記第１の方向性光伝達装置の前記第３のポートに接続された、第３の導波路であって、前記第１の方向性光伝達装置の前記第１、前記第２、及び前記第３ポートは、前記第３の導波路が、前記所望の光キャリアのソースと、前記戻すように反射された所望の光キャリアのレシーバとのうちの１つであるように構成されていることからなる、第３の導波路と、
バイパス光ファイバと、
光学スイッチと、
出力ファイバ
とを備え、
前記バイパス光ファイバは、前記第２の導波路に対して光学的に並列な伝達経路を提供するために、前記第１の方向性光伝達装置に接続されており、前記第１の方向性光伝達装置とは反対側の端部において、前記光学スイッチが、前記第２の導波路と前記バイパス光ファイバとに接続されていることからなる、動的に調整可能な光学システム。
【請求項７】
複数の光キャリアを入力及び出力するための少なくとも３つの光学ポートを有する第１の方向性光伝達装置を提供し、
前記光学ポートと１対１に対応する少なくとも３つの光伝達経路を提供し、
変調追跡回折格子を提供し、
調整された光キャリア波長を反射させるために調整可能な少なくとも１つの調整可能回折格子を、前記少なくとも３つの光伝達経路のうちの１つに光学的に結合させ、
光キャリアを、前記少なくとも３つの光伝達経路のうちの１つである第１の光伝達経路に沿って前記第１の方向性光伝達装置内へと入力し、
前記少なくとも１つの調整可能回折格子に光学的に結合されている第２の光伝達経路であって、前記少なくとも３つの光伝達経路のうちの１つである、該第２の光伝達経路に沿って、前記第１の方向性光伝達装置から前記光キャリアを出力し、
前記光キャリアのキャリア波長を決定するために前記変調追跡回折格子を調整することによって前記光キャリアの少なくとも１つの透過特性を追跡し、
前記光キャリアの前記少なくとも１つの透過特性の前記追跡から生成されたデータに応答して、前記少なくとも１つの調整可能回折格子を動的に調整する、
という各ステップを含むことからなる、光キャリアを伝達する方法。
【手続補正２】
【補正対象書類名】明細書
【補正対象項目名】００４４
【補正方法】変更
【補正の内容】
【００４４】
図９は、追跡回折格子を用いた光キャリア波長追跡システムを備えたドロップモジュール124の代替実施形態を示すものである。この実施形態は、サーキュレータ138に接続された３つの光ファイバを備えている。第２のファイバ126は、変調された追跡回折格子128及びフィルタ回折格子130を備えており、この両方の回折格子は調整可能なＦＢＧである。光ファイバ132は第３のファイバ134に接続され、レシーバ／コントローラ機構136は、カプラと調整式フィルタＦＢＧ130に接続される。動作時には、光キャリアが第１のファイバ140によって第２のファイバに入力される。第２のファイバ内の追跡回折格子は、目的の光キャリアの僅かな部分をサーキュレータ138及び第３のファイバ134へと反射する。第３のファイバ内のカプラ132において、光キャリア信号の僅かなサンプル（通常は1〜5％）が取り出されてレシーバ／コントローラ136に送られる。レシーバ／コントローラ136は、該信号を処理して光キャリアの中心波長を決定する。光キャリアの中心波長が既知である場合には、コントローラは、フィルタＦＢＧを調整することができる。フィルタＦＢＧは、典型的には、光キャリアを完全に反射するか光キャリアを完全に通過させるように調整される。